(57)【要約】【課題】柔軟で、ふくよかさを有し、かつ表面に趣味を満足させるための織り柄を付けると共に、実際ちりめんと異なるちりめん状の性質を与えて触感を良好とした織り柄付ちりめん状３層ガーゼ織物を提供する。【解決手段】タテ糸に縮まない糸を用いた表面ガーゼ層Ａと、タテ糸又は及びヨコ糸に縮む糸を用いた中間ガーゼ層Ｂと、タテ糸に縮まない糸を用いた裏面ガーゼ層Ｃから成る３層構造とすると共に、前記中間ガーゼ層Ｂを前記表面ガーゼ層Ａと絡めつつ表面に柄出しをしたことを特徴とする織り柄付ちりめん状３層ガーゼ織物。【選択図】図２
0003124623.tif 000002
【実用新案登録請求の範囲】
【請求項１】
タテ糸に縮まない糸を用いた表面ガーゼ層Ａと、タテ糸又は及びヨコ糸に縮む糸を用いた中間ガーゼ層Ｂと、タテ糸に縮まない糸を用いた裏面ガーゼ層Ｃから成る３層構造とすると共に、
前記中間ガーゼ層Ｂを前記表面ガーゼ層Ａと絡めつつ表面に柄出しをしたことを特徴とする織り柄付ちりめん状３層ガーゼ織物。
【請求項２】
前記表面ガーゼ層Ａの表面には、プリント植写を行うことを特徴とする請求項１記載の織り柄付ちりめん状３層ガーゼ織物。
【考案の詳細な説明】
【技術分野】
【０００１】
本考案は、織り柄付ちりめん状３層ガーゼ織物に関する。詳しくはタオルやハンカチ等の布製身の回り品に用いられる３層構造のガーゼ織物であって、表面に織り柄が設けられ、かつ中間ガーゼ層のタテ糸に縮む糸を用いた上で、中間ガーゼ層と表面ガーゼ層の絡めによって表面に織柄模様を付けることによってちりめん状とした織り柄付ちりめん状３層ガーゼ織物に関する。
【背景技術】
【０００２】
従来のガーゼ織物の例としては、例えば実用新案登録第３１００９２９号の例がある。これはガラス繊維ガーゼと、セラミック焼成物を含浸塗着した不織布からなる中間層と、綿ガーゼからなる内層の３層構造の顔面装着用マスクである。
【０００３】
また、従来のちりめんとしては実用新案登録第３０４５０７４号の例がある。これは、撚りを交互に変えて織った絹製ちりめんから成る浴用タオルである。
【０００４】
しかしながら、タオル、ハンカチ等の布製身の回り品としては、３層ガーゼで、かつちりめん状のものは知られていない。しかも、実際ちりめんは特殊糸を用いてヨコ糸に撚りを加えて成るものであるが、ちりめんではない「ちりめん状」の３層ガーゼについては全く知られていない。
【特許文献１】実用新案登録第３１００９２９号公報、第１頁、図１
【特許文献２】実用新案登録第３０４５０７４号公報、第１頁、図１
【考案の開示】
【考案が解決しようとする課題】
【０００５】
本考案はガーゼの柔軟性にふくよかさを加えた３層ガーゼ構造で、柔軟で、ふくよかさを有し、かつ表面に趣味を満足させるための織り柄を付けると共に、実際ちりめんと異なるちりめん状の性質を与えて触感を良好とした織り柄付ちりめん状３層ガーゼ織物を提供することを目的とする。
【課題を解決するための手段】
【０００６】
上記課題を解決するための本考案の織り柄付ちりめん状３層ガーゼ織物は、タテ糸に縮まない糸を用いた表面ガーゼ層Ａと、タテ糸又は及びヨコ糸に縮む糸を用いた中間ガーゼ層Ｂと、タテ糸に縮まない糸を用いた裏面ガーゼ層Ｃから成る３層構造とすると共に、前記中間ガーゼ層Ｂを前記表面ガーゼ層Ａと絡めつつ表面に柄出しをしたことを特徴とする。
【０００７】
中間ガーゼ層Ｂにおいて、タテ糸又は及びヨコ糸に縮む糸を用いるとは、タテ糸のみに縮む糸を用いた場合と、ヨコ糸のみに縮む糸を用いた場合と、さらにはタテ糸及びヨコ糸の両方に縮む糸を用いた３例を含む。
【０００８】
前記表面ガーゼ層Ａの表面には、プリント植写を行うことができる。
【０００９】
本考案では、３層のガーゼ層Ａ、Ｂ、Ｃが構成され、中間のガーゼ層Ｂのタテ糸には縮む糸が用いられる。従って、中間ガーゼ層Ｂを表面ガーゼ層Ａと絡めつつ織り柄を付けると、その部分で局所局所糸の伸縮が生じ、全体的にちりめん状とすることができる。このちりめん状は単にちりめん状であるのみならず、中間ガーゼ層Ｂが伸縮性を有するので、柔軟性を持ったちりめん状となる。表面ガーゼ層Ａと中間ガーゼ層Ｂとの間では部分的に、また中間ガーゼ層Ｂと裏面ガーゼ層Ｃとの間は全体的に袋状となり、柔軟で、ふくよかさを有し、かつ表面に趣味を満足させるための織り柄を付けた形となる。ちりめん状となるのでさらに触感が良好となる。
【考案の効果】
【００１０】
以上の通り、本考案は、タテ糸に縮まない糸を用いた表面ガーゼ層Ａと、タテ糸又は及びヨコ糸に縮む糸を用いた中間ガーゼ層Ｂと、タテ糸に縮まない糸を用いた裏面ガーゼ層Ｃから成る３層構造とすると共に、前記中間ガーゼ層Ｂを前記表面ガーゼ層Ａと絡めつつ表面に柄出しをしたことを特徴とするので、柔軟で、ふくよかさを有し、かつ表面に趣味を満足させるための織り柄を付けると共に、実際ちりめんと異なるちりめん状の性質を与えて触感を良好とした織り柄付ちりめん状３層ガーゼ織物となる。
【考案を実施するための最良の形態】
【００１１】
以下、添付図面に基いて本考案を実施するための最適の形態を説明する。図１は本考案の一実施形態に係る織り柄付ちりめん状３層ガーゼ織物１（以下、単に織物１と称す。）の正面図（ａ）及び側面図（ｂ）を示す。図２は上記織物１の断面構造（ａ）及び組織図（ｂ）を示す。中間ガーゼ層Ｂにおいて、タテ糸のみについて縮む糸を用いた例で示すが、本考案はこれに限定されず、タテ糸又は及びヨコ糸に縮む糸を用いた場合に適用される。
【００１２】
図１（ａ）に示すように、本考案の織物１は、表面ガーゼ層Ａが表面に露出し、その表面２に織り柄３が設けられる。バラの花やその葉等として表現される織り柄３は、中間ガーゼ層Ｂを表面ガーゼ層Ａに絡め、糸を交差させて縁４を形取ることにより得られる。従って、柄３の内側は表面ガーゼ層Ａと同一組織となる。図１（ｂ）の最下層は、裏面ガーゼ層Ｃを示す。
【００１３】
図２を用いて織り方を説明する。図２（ａ）において左方が表面（Ｓ）、右方が裏面（Ｂａ）を示す。図２（ａ）に示すように、表面ガーゼ層Ａのタテ糸Ａ１、Ａ２と、中間ガーゼ層Ｂのタテ糸Ｂ１、Ｂ２と、裏面ガーゼ層Ｃのタテ糸Ｃ１、Ｃ２を図２（ｂ）のように並べ、ヨコ糸Ｙ１、Ｙ２、Ｙ３・・・を通しながら、順次の層Ａ、Ｂ、Ｃをガーゼで織る。ここに、表面ガーゼ層Ａ及び裏面ガーゼ層Ｃのタテ糸Ａ１、Ａ２、Ｃ１、Ｃ２としては通常の縮まない糸を用いる。中間ガーゼ層Ｂのタテ糸Ｂ１、Ｂ２としては、強撚糸等の縮む糸を用いる。各タテ糸に名称を付け、糸の種別を示してまとめると表１の通りである。
【表１】
0003124623.tif 000003
【００１４】
図２（ａ）、（ｂ）において、交差部分５では、中間ガーゼ層Ｂと表面ガーゼ層Ａとを絡め、この部分が図ａの縁４となる。
【００１５】
以上により、図１、図２で示した織物１ができる。この織物１は、縮まないタテ糸Ａ１、Ａ２を用いた表面ガーゼ層Ａと、縮むタテ糸Ｂ１、Ｂ２を用いた中間ガーゼ層Ｂと、縮まないタテ糸Ｃ１、Ｃ２を用いた裏面ガーゼ層Ｃから成る全ガーゼ３層構造で、中間ガーゼ層Ｂを表面ガーゼ層Ａに絡めて表面に柄３を出している。中間ガーゼ層Ｂが表面ガーゼ層Ａに絡まると共に、中間ガーゼ層Ｂのタテ糸として縮む糸が用いられているので柔軟なちりめん状となる。
【００１６】
従って、３層のガーゼ層によって柔軟で、ふくよかさを有し、かつ表面に趣味を満足させるための各種の織り柄を付けると共に、実際ちりめんと異なるちりめん状の性質を与えて触感を良好とした織り柄付ちりめん状３層ガーゼ織物１が完成された。
【００１７】
上記織物１の表面２には、適宜色で任意の植写を行うことができ、カラフルな織物１とすることができる。
【００１８】
また、上記織物１の各ガーゼ層Ａ、Ｂ、Ｃに色を付け、カラフルな織物１とすることができる。
【００１９】
本考案は、上記実施形態に限定されるものではなく、適宜変形を行うことにより、各種態様で実施できる。
【図面の簡単な説明】
【００２０】
【図１】本考案の一実施形態に係る織り柄付ちりめん状３層ガーゼ織物の正面図（ａ）及び側面図（ｂ）を示す。図１（ｂ）の側面図では、簡略的に各層Ａ、Ｂ、Ｃを１本の線で示している。
【図２】図１に示した織物の断面構造図（ａ）、及び組織図（ｂ）を示す。
【符号の説明】
【００２１】
１  織り柄付ちりめん状３層ガーゼ織物
２  表面
３  織り柄
４  柄を形取る縁
５  交差部分
Ａ  表面ガーゼ層
Ｂ  中間ガーゼ層
Ｃ  裏面ガーゼ層
【図１】
0003124623.tif 000004
【図２】
0003124623.tif 000005